(57)【要約】【課題】本発明は、時刻がきたとき折り畳んだままでも迅速且つ確実にスケジュールの内容を伝達でき、利便性の高い折畳型携帯電話装置を提供することを目的とする。【解決手段】本発明の折畳型携帯電話装置は、第２筐体１ｂには表示部の背面側に第２表示部５が設けられるとともに、該第２表示部５の表示部用の照明を行う照明部が設けられ、且つ該照明部を発光させるための表示部用照明管理手段を備え、スケジュール時刻が到来すると、スケジュール管理手段が第２表示部５でスケジュール情報の報知を行い、且つ表示部用照明管理手段が照明部によって表示部用の照明で報知することを特徴とする。【選択図】　図１
2004032596.tif 000002
【特許請求の範囲】
【請求項１】
折り畳み自在の第１筐体と第２筐体とから構成され、前記第２筐体の前記第１筐体との突き合せ面には表示部が設けられ、該表示部にスケジュール情報を表示することができる折畳型携帯電話装置であって、
前記第２筐体には前記表示部の背面側に第２表示部が設けられるとともに、該第２表示部の表示部用の照明を行う照明部が設けられ、
且つ該照明部を発光させるための表示部用照明管理手段を備え、
スケジュール時刻が到来すると、スケジュール管理手段が前記第２表示部でスケジュール情報の報知を行い、
且つ前記表示部用照明管理手段が前記照明部によって表示部用の照明で報知することを特徴とする折畳型携帯電話装置。
【請求項２】
前記第２表示部がスケジュール情報の動表示による報知を行うことを特徴とする請求項１記載の折畳型携帯電話装置。
【請求項３】
スケジュール情報の動表示がテロップであることを特徴とする請求項２記載の折畳型携帯電話装置。
【請求項４】
スケジュール情報にはスケジュール種別及びまたはスケジュールランクが含まれたことを特徴とする請求項１〜３のいずれかに記載の折畳型携帯電話装置。
【請求項５】
スケジュール情報には前記スケジュール種別と関係付けられた表示部用照明色データが含まれ、スケジュール時刻が到来すると、前記表示部用照明管理手段が記憶部から前記表示部用照明色データを読み出して表示部用照明色で報知することを特徴とする請求項４記載の折畳型携帯電話装置。
【請求項６】
スケジュール情報には前記スケジュールランクと関係付けられた報知音データが含まれ、スケジュール時刻が到来すると、音声管理手段が記憶部から前記報知音データを読み出して報知音で報知することを特徴とする請求項記載の折畳型携帯電話装置。
【請求項７】
第１筐体と第２筐体との開閉を検出する開閉検出手段と、
前記開閉検出手段が検出した開信号に基づいて前記第２表示部に対する表示を止めて前記表示部に表示を行わせる表示部管理手段が設けられたことを特徴とする請求項１〜６のいずれかに記載の折畳型携帯電話装置。
【請求項８】
前記第２筐体が開かれたとき前記表示部管理手段の切り換えにより、前記スケジュール管理手段が前記表示部にスケジュール情報の詳細を表示することを特徴とする請求項７記載の折畳型携帯電話装置。
【請求項９】
前記開閉検出手段が検出した閉信号に基づいて、前記表示部管理手段が前記表示部と前記第２表示部に対する表示を止めることを特徴とする請求項７または８に記載の折畳型携帯電話装置。
【請求項１０】
請求項１〜９のいずれかに記載の折畳型携帯電話装置において、照明部を備え、且つ表示部用照明管理手段が該照明部によって表示部用の照明で報知するのに代えて、表示部用照明管理手段がスケジュール情報の報知に加えて重畳的に前記第２表示部を表示部用照明色に点灯することによって報知することを特徴とする折畳型携帯電話装置。
【請求項１１】
前記第２表示部に行う表示を切り換えるためのサイドスイッチが設けられたことを特徴とする請求項１〜１０のいずれかに記載の折畳型携帯電話装置。
【発明の詳細な説明】
【０００１】
【発明の属する技術分野】
本発明は、折り畳んだままで、強い印象を伴ってスケジュールを報知するとともに、バックライトや報知音でスケジュールを分けて報知できる折畳型携帯電話装置に関する。
【０００２】
【従来の技術】
近年、携帯電話装置は急速に普及し、様々な機種やサービスが登場している。その中でもスケジュール機能やカレンダー機能を有し、時刻が来ると使用者に予定を放置するものがある。なお、ここでいう携帯電話装置は、ＩＳＤＮ等のデジタル回線網を使って基地局間を結び、各基地局との間はデジタル方式で無線通信を行う電話装置であり、当然簡易携帯電話であるＰＨＳを含むものである。
【０００３】
そこで、従来のスケジュール機能を有した携帯電話装置について（特開２００１−８６２１７）について説明する。図７（ａ）は従来のスケジュール機能を有した携帯電話装置の外観図、図７（ｂ）は（ａ）の携帯電話装置の構成図、図７（ｃ）は（ａ）の携帯電話装置の照明装置の詳細構成図である。図７（ａ）（ｂ）（ｃ）において、１０１は本体、１０２はキー操作部、１０３はＬＣＤ表示部、１０４はＬＥＤ表示部、１１１は表示照明装置、１１２は記憶部、１１３はカラー記億部、１１４は多色照明部、１１５はＣＰＵである。
【０００４】
次に従来の携帯電話装置の動作を説明する。従来の携帯電話装置は行動予定表等のスケジュール機能等についてバックライトの色を変化させることができるものである。図７（ｃ）に示す記憶部１１２には、スケジュール機能として１２月１日〜２日までの期間情報が格納されており、カラー記憶部１１３にはこの期間情報に関連づけて青色情報が格納されている。使用者がキー操作部１０２よりスケジュール機能として１２月１日から１２月２日までの期間を入力するとＣＰＵ１１５は記憶部１１２よりこの日付の期間を読出し、さらにカラー記憶部１１３よりこの読出した日付に対応して設定されている青色情報を読出す。そして、ＣＰＵ１１５は多色照明部（バックライト）１１４に青色を点灯させる。これによりキー操作部１０２とＬＣＤ表示部１０３は青色に点灯されるというものである。続いてＣＰＵ１１５は日付と時間について多種の情報を記憶したり、処理するものである。この従来の携帯電話装置は、スケジュールごとに多色照明部（バックライト）１１４を異なった色に点灯するので、使用者は照明の色によって直感的にスケジュールを確認できるものである。
【０００５】
しかしこの従来の携帯電話装置は近年多用される折畳型の携帯電話装置でなく、バックライトによる照明も折畳型携帯電話装置の折り畳んでいる状態においては役に立たない。これは携帯電話装置が待機状態でスケジュールを報知することを予定していないからであり、さらに折畳型のときにはディスプレイとの関係で基本的にそれができないことが原因である。
【０００６】
また従来、本出願人は、フリップ付携帯電話装置の液晶モニターの背面に電話番号や文字情報を表示するセグメント表示部を設けることを提案した（特開２００１−１２７８５４）。図８（ａ）は従来のフリップ付携帯電話装置のフリップ部を開いた状態の外観図、図８（ｂ）は従来のフリップ付携帯電話装置のフリップ部を閉じた状態の外観図である。
【０００７】
図８（ａ）（ｂ）において、２０１は無線・制御回路を内蔵した装置本体、２０２はアンテナ、２０３は電話番号等を入力するキー操作部、２０４はマイク、２０５はバッテリー部、２０６は回動可能なヒンジ、２０７はヒンジ２０６により装置本体２０１に連結されたフリップ部、２０８はキー操作部２０３より入力された電話番号等あるいは相手側から送られてくる文字、画像情報を映す液晶モニター、２０９は本装置側の利用者の画像情報を相手側に送るためのＣＣＤカメラ、２１０はスピーカホンとして受話音を出力するスピーカ、２１１はイヤホン端子、２１２はイヤホン、２１３は音声通信のみのときに受話音を出力するイヤピース、２１４は電話番号等の文字情報を表示するセグメント表示部である。
【０００８】
この従来のフリップ付携帯電話装置の動作を説明する。図８（ｂ）に示すように、この従来のフリップ付携帯電話装置は開閉が可能な装置本体２０１とフリップ部２０７とからなり、フリップ部２０７には装置本体２０１と対向する側に画像情報を表示する液晶モニター２０８が設けられ、また液晶モニター２０８の背面側にはセグメント表示部２１４が設けられている。音声通信機能のみの送受信を行うときには、フリップ部２０７を閉塞し、液晶モニター２０８、ＣＣＤカメラ２０９をＯＦＦにして電源をＯＮすると、装置本体２０１に装着されたバッテリー部２０５により電源が供給され、装置本体２０１のキー操作部２０３からセグメント表示部２１４で視認しながら相手側端末の電話番号を入力し、装置本体２０１の制御、無線回路を介して、アンテナ２０２から無線信号を発信し、発呼動作を行うものである。
【０００９】
しかし、この従来のフリップ付携帯電話装置のフリップ部は、相手が画像情報を送る機能を有していない場合や、音声だけで通信を行いたい場合に、フリップ部を閉じて操作を開始し、キー操作部２０３からの入力をセグメント表示部２１４で確認するものであった。フリップ部２０７はいわば画像通信と音声通信のモードを切り換えに付随して開閉されるものであり、フリップ部２０７のセグメント表示部２１４は折畳型携帯電話装置が折り畳まれた待機状態でスケジュールを報知するものではなかった。
【００１０】
【発明が解決しようとする課題】
以上説明したように従来のスケジュール機能を有した携帯電話装置は、折り畳んで使うものではなかった。仮に折り畳んだとしてもＬＣＤ表示部１０３は内部に隠れ、バックライトをこの状態で用いることはできない。この従来の携帯電話装置のバックライトは、スケジュールの内容を文字で読まなくとも色で直感的に把握できるようにするためのもので、スケジュール機能自体は、スケジュールを確認するためのいわばメモ代わりにすぎず、利便性に欠けるものであった。
【００１１】
そして、最近では折畳型携帯電話装置の普及がすすみ、様々な機能がキー操作で実現されるようになってきているが、折り畳んだままで各種サービスを享受できる高機能の携帯電話装置はまだ実現されていない。本出願人が提案した上述のフリップ付携帯電話装置も、こうした高機能な携帯電話装置の１つである（但し折畳型携帯電話装置ではない）が、セグメント表示部２１４は、音声で通信するときにキー操作部２０３から入力した電話番号や文字情報を表示するものにすぎず、時刻が到来したときスケジュールの報知を行うものではなかった。
【００１２】
このような観点からすると、スケジュールを報知する携帯電話装置の機能としては、時刻がきたとき迅速且つ確実に使用者にスケジュールの内容を伝達できるものでなければならない。すなわち折り畳んだ状態で報知があったとき、いちいち携帯電話を開かなくとも、少なくともその要点が直ちに認識できるものがよく、この要点の報知に促されて携帯電話装置を開いたときには自動的にＬＣＤ表示部にスケジュールの詳細が表示されているというのが望ましい。また、通話中に時刻が到来したときには、通話を遮ることなく可能な範囲でできるだけ迅速にスケジュールの内容を伝える必要がある。
【００１３】
そこで本発明は、時刻がきたとき折り畳んだままでも迅速且つ確実にスケジュールの内容を伝達でき、利便性の高い折畳型携帯電話装置を提供することを目的とする。
【００１４】
【課題を解決するための手段】
以上説明した問題を解決するために本発明の折畳型携帯電話装置は、表示部の背面側に第２表示部が設けられるとともに、該第２表示部の表示部用の照明を行う照明部が設けられ、且つ該照明部を発光させるための表示部用照明管理手段を備え、スケジュール時刻が到来すると、スケジュール管理手段が第２表示部でスケジュール情報の報知を行い、且つ表示部用照明管理手段が照明部によって表示部用の照明で報知することを特徴とする。
【００１５】
これにより、時刻がきたとき折り畳んだままでも迅速且つ確実にスケジュールの内容を伝達でき、利便性の高めることができる。
【００１６】
【発明の実施の形態】
本発明の請求項１に記載された発明は、折り畳み自在の第１筐体と第２筐体とから構成され、第２筐体の第１筐体との突き合せ面には表示部が設けられ、該表示部にスケジュール情報を表示することができる折畳型携帯電話装置であって、第２筐体には表示部の背面側に第２表示部が設けられるとともに、該第２表示部の表示部用の照明を行う照明部が設けられ、且つ該照明部を発光させるための表示部用照明管理手段を備え、スケジュール時刻が到来すると、スケジュール管理手段が第２表示部でスケジュール情報の報知を行い、且つ表示部用照明管理手段が照明部によって表示部用の照明で報知することを特徴とする折畳型携帯電話装置であって、第１筐体の表示部の背面側に第２表示部が設けられているので、時刻がきたときスケジュール情報の報知が筐体外部の第２表示部で行われ、携帯電話装置を折り畳んだままでもスケジュールが設定されていることを知り、報知によって内容を確認することができる。表示部用の照明を報知のために用いたから強い印象を与えて迅速さと確実さを向上させることができ、利便性の高い折畳型携帯電話装置にすることができる。
【００１７】
本発明の請求項２に記載された発明は、第２表示部がスケジュール情報の動表示による報知を行うことを特徴とする請求項１記載の折畳型携帯電話装置であって、スケジュール情報が第２表示部で動画として表示されるので、強い印象を与え、迅速さと確実さを向上させることができる。
【００１８】
本発明の請求項３に記載された発明は、スケジュール情報の動表示がテロップであることを特徴とする請求項２記載の折畳型携帯電話装置であって、スケジュール情報がテロップで表示されるから、スケジュールの要点をテロップ自体で確認でき、携帯電話装置を折り畳んだままでもスケジュールの予定があることを知り、強い印象を与えることができる。
【００１９】
本発明の請求項４に記載された発明は、スケジュール情報にはスケジュール種別及びまたはスケジュールランクが含まれたことを特徴とする請求項１〜３のいずれかに記載の折畳型携帯電話装置であって、スケジュールの公私別等の種別や、重要度等のランクに従って複数に分けて報知することができる。
【００２０】
本発明の請求項５に記載された発明は、スケジュール情報にはスケジュール種別と関係付けられた表示部用照明色データが含まれ、スケジュール時刻が到来すると、表示部用照明管理手段が記憶部から表示部用照明色データを読み出して表示部用照明色で報知することを特徴とする請求項４記載の折畳型携帯電話装置であって、スケジュール種別を表示部用照明色で報知するため、折畳型携帯電話装置を外方から眺めるだけで直ちに種別が分かる。
【００２１】
本発明の請求項６に記載された発明は、スケジュール情報にはスケジュールランクと関係付けられた報知音データが含まれ、スケジュール時刻が到来すると、音声管理手段が記憶部から報知音データを読み出して報知音で報知することを特徴とする請求項記載の折畳型携帯電話装置であって、スケジュールランクを報知音で鳴らすため、時刻がきたとき直ちに重要度等が分かり、緊急性に応じた処理が行える。
【００２２】
本発明の請求項７に記載された発明は、第１筐体と第２筐体との開閉を検出する開閉検出手段と、開閉検出手段が検出した開信号に基づいて第２表示部に対する表示を止めて表示部に表示を行わせる表示部管理手段が設けられたことを特徴とする請求項１〜６のいずれかに記載の折畳型携帯電話装置であって、折畳型携帯電話装置の開閉を検出する開閉検出手段が設けられているので、第２筐体への動表示や表示部用照明色、報知音で詳細なスケジュールを確かめようと思った使用者が折畳型携帯電話装置を開くと、内部の表示部に詳細なスケジュールを表示させることができる。
【００２３】
本発明の請求項８に記載された発明は、第２筐体が開かれたとき表示部管理手段の切り換えにより、スケジュール管理手段が表示部にスケジュール情報の詳細を表示することを特徴とする請求項７記載の折畳型携帯電話装置であって、折畳型携帯電話装置を開くと、内部の表示部に自動的に詳細なスケジュールを表示させることができる。
【００２４】
本発明の請求項９に記載された発明は、開閉検出手段が検出した閉信号に基づいて、表示部管理手段が表示部と第２表示部に対する表示を止めることを特徴とする請求項７または８に記載の折畳型携帯電話装置であるから、スケジュールの確認がすんで折り畳んだら、直ちに待機状態に戻る。
【００２５】
本発明の請求項１０に記載された発明は、請求項１〜９のいずれかに記載の折畳型携帯電話装置において、照明部を備え、且つ表示部用照明管理手段が該照明部によって表示部用の照明で報知するのに代えて、表示部用照明管理手段がスケジュール情報の報知に加えて重畳的に第２表示部を表示部用照明色に点灯することによって報知することを特徴とする折畳型携帯電話装置であって、表示部用の照明を照明部で行うのでなく、第２表示部自体で発光させるので、表示部用の照明のための部品が不要であり、折畳型携帯電話装置をコンパクトで安価にすることができる。
【００２６】
本発明の請求項１１に記載された発明は、第２表示部に行う表示を切り換えるためのサイドスイッチが設けられたことを特徴とする請求項１〜１０のいずれかに記載の折畳型携帯電話装置であって、サイドスイッチを入切することにより折り畳んだままスケジュール機能を享受できる。
【００２７】
（実施の形態１）
本発明の実施の形態１の折畳型携帯電話装置について説明する。実施の形態１の折畳型携帯電話装置は、折り畳んだときの外表面に第２表示部が設けられたものである。図１（ａ）は本発明の実施の形態１における折畳型携帯電話装置を開いたときの外観図、図１（ｂ）は（ａ）の折畳型携帯電話装置を折り畳んだ状態の外観図、図２は本発明の実施の形態１における折畳型携帯電話装置の構成図である。図１（ａ）（ｂ）において、１ａは折畳型携帯電話装置本体を構成する第１筐体、１ｂは折畳型携帯電話装置本体を構成する第２筐体、２は第１筐体１ａ，第２筐体１ｂを開閉自在に連結するヒンジ部である。このヒンジ部２によって折畳型携帯電話装置をポケット等に収めるため小さく折畳んだり、通話等するために第１筐体１ａと第２筐体１ｂを開いた状態にすることができる。３は第１筐体１ａに設けられたテンキーやファンクションキーから構成され、これにより各種機能設定やダイヤル入力するキー操作部、４は第２筐体１ｂのキー操作部３と対向する面（本発明の突き合せ面）に設けられた液晶等の第１表示部（本発明の表示部）、５は第２筐体１ｂの第１表示部４の背面側に設けられた液晶等の第２表示部、６は無線基地局（図示せず）との無線通信ためのアンテナ、７は使用者が設定した着信メロディ等の着信音や報知音等を出力するためのスピーカ、８は通話相手へ利用者の音声を伝えるため等に用いられるマイク、９ａは後述する開閉検出手段９を構成する突起、９ｂは突起９ａが挿入される穴である。なお、第１表示部４，第２表示部５は液晶等を用いることが多いが、とくに液晶に限られるものではなく、その他のディスプレイでも構わない。
【００２８】
次に図２において、９は利用者が折り畳んだとき突起９ａが穴９ｂに挿入されて、穴９ｂ内部のスイッチ（図示しない）がＯＮすることにより第１筐体１ａと第２筐体１ｂが閉動作されたことを検知し、突起９ａが穴９ｂから分離されることでスイッチがＯＦＦとなって開動作されたことを検出する開閉検出手段、１０はアンテナ６を介して無線基地局と無線信号の送受信を行うための無線送受信部、１１は無線基地局（図示せず）を介して通話相手と音声通話を行うために用いられるコーディックＩＣ等の音声回路部、１２は、画像データの蓄積や電話帳の蓄積などに使用したり、電話装置全体等の制御を行う制御プログラム、その他の各種情報を記憶する記憶部、１２ａは記憶部１２に設けられスケジュール情報を記憶しておくスケジュール情報部、１２ｂは着信時やスケジュール報知時に使用するメロディ等のデータを格納した音情報部、１２ｃは第２表示部５にテロップ等の動表示を行うための設定情報が格納された動表示情報設定部、１２ｄは第１表示部４と第２表示部５のバックライトを照明するための設定情報を格納したバックライト情報設定部（本発明の表示部用照明情報設定部）である。なお、実施の形態において以下バックライトと呼称するが、これは表示部内を照らす表示部用照明を意味する。このスケジュール情報部１２ａ，音情報部１２ｂ，動表示情報設定部１２ｃ，バックライト情報設定部１２ｄは、いずれも記憶部１２内に設けられた記憶領域である。
【００２９】
１３は第１表示部４に画像データを表示したり、各種機能設定のための画面表示をしたりするために用いられる第１表示手段、１４は第２表示部５に画像データを表示したり、着信時に発呼者情報（電話番号や発呼者名等）を表示したり、スケジュール時刻が到来するとテロップ等の動表示を行う第２表示手段、１５は第１表示手段１３と第２表示手段１４を切り換えて何れかを動作させることができる表示部管理手段である。
【００３０】
１６はキー操作部３からの入力を入力信号に変える入力手段、１７はスケジュール管理で使用するための時間を計る計時手段、１８は第１表示部４のバックライトの照明を行う第１照明部、１９は第２表示部５のバックライトの照明を行う第２照明部（本発明の照明部）、２０はバックライト情報設定部１２ｄの設定に従って第１照明部１８と第２照明部１９を動作させるバックライト管理手段（本発明の表示部用照明管理手段）である。
【００３１】
次に、２１は音情報部１２ｂのメロディや報知音等のデータを使って音声回路部１１でアナログ音声信号に変換してスピーカ７から出力する音声管理手段、２２は折畳型携帯電話装置のスケジュール管理機能を実行するためのスケジュール管理手段、２３はテロップ等の動表示を第２表示部５に、場合によっては第１表示部４にも表示させるための動表示管理手段、２４はスケジュール情報をテロップ等の動画像として表示するためにアニメーションのようにコマ単位で画像処理し、一連のコマ単位の動表示のデータを作成することができる画像処理部、２５は折畳型携帯電話装置の全体システムを制御する制御部である。なお、制御部２５は中央処理装置（ＣＰＵ）に記憶部１２の制御プログラムをロードして機能する機能実現手段である。同様に、表示部管理手段１５、バックライ管理手段２０、スケジュール管理手段２２、動表示管理手段２３等も中央処理装置に記憶部１２の制御プログラムをロードして機能する機能実現手段である。
【００３２】
続いて、本発明の実施の形態１における折畳型携帯電話装置に対して行う設定について説明する。図３は本発明の実施の形態１における折畳型携帯電話装置のスケジュール情報テーブル図である。図３において、３０はスケジュールが予定されている月日、３１はスケジュールが予定されている時刻、３２は予定されているスケジュール内容、３３はスケジュール内容３２が仕事や社会的関連事項の場合を公用とし、個人的な予定を私用とする公私別を代表例とするスケジュール種別、３４はスケジュールの時刻３１が到来したときスケジュール種別３３を折り畳んだまま報知するためバックライトの色（本発明の表示部用照明色）を設定するバックライト設定、３５はスケジュール内容３２の重要度（本発明のスケジュールランク）、３６はスケジュールの時刻３１が到来したとき重要度３５に従って鳴らす報知音設定、３７はスケジュールの詳細である。
【００３３】
バックライト設定３４は、折畳型携帯電話装置を開かないでも、バックライトの色を見ただけでスケジュール内容３２の種別を認識できるようにするものである。実施の形態１においては赤青２色を使い、赤で公用目的の場合を示し、青は私用目的の場合を示すように設定している。緑も使用できるし、混色も利用できる。バックライト設定３４は必ずしもスケジュール種別３３にだけ用いるのではなく、例えば重要度３５に対応させることもできる。実施の形態１の場合スケジュール種別３３と対応させられている。そして、キー操作部３からスケジュール種別の入力を行うと、予め行った設定に従い、このスケジュール種別は自動的にバックライトの赤、青と関係付けられる。これにより、第１表示部４を見なくともスケジュール内容３２を２以上に分けて判断できる。また、スケジュール内容に対応させて設定させることができるようにしてもよい。
【００３４】
また、スケジュール内容３２には緊急度が異なる様々のものが混在しているから、重要度３５はこれをクラスに分けて報知するものである。実施の形態１においては「上」「中」「下」の３つに分けて表示している。報知音設定３６は必ずしも重要度３５だけではなく、例えばスケジュール種別３３に対応させるのでもよい。実施の形態１の場合は重要度３５と対応させられている。そして、キー操作部３から重要度３５の入力を行うと、予め行った設定に従い、この重要度３５は自動的に「高音」「中音」「低音」と関係付けられる。
【００３５】
続いて、実施の形態１における折畳型携帯電話装置のテロップ等の動表示、バックライトの点滅、報知音等の表示がどのようにして実行されるかについて説明する。実施の形態１の場合時刻が到来すると、動表示管理手段２３はスケジュール情報部１２ａから時刻３１とスケジュール内容３２を読み出し、動表示情報設定部１２ｃからテロップ画面の設定データを読み出す。続いて画像処理部２４は、この読み出されたフレームに時刻３１とスケジュール内容３２を上書きして１コマの画面データを作成する。そして次の１コマは単位時間に流れる分だけ平行移動させた画面として作成し、これを次々と繰り返して動表示の一連の画面データとする。なお、図４（ａ）（ｂ）（ｃ）（ｄ）（ｅ）では時刻３１はテロップにして移動させず、スケジュール内容３２のみテロップとする。動表示管理手段２３は、この作成された画像データを表示部管理手段１５を介して第２表示手段１４に送り、第２表示手段１４に表示させる。なお、表示部管理手段１５は開閉検出手段９の検出信号か、サイドスイッチ等による切り換え入力かに従って、第１表示手段１３と第２表示手段１４の出力先を切り換えてどちらかを動作させる。また、時刻３１やスケジュール内容３２をテロップにするだけではなく、詳細３７を所定の操作等により表示させるようにすることもできる。
【００３６】
バックライトは次のように行われる。時刻が到来すると、バックライト管理手段２０がバックライト情報設定部１２ｄから設定値を読み出す。図３に示すように、バックライト情報設定部１２ｄにはスケジュールごとに赤か青かが設定されており、これに従い、バックライト管理手段２０は第２照明部１９にこの赤か青のライトを点灯させる。単純な点灯だけでなく、点滅させるのも報知効果が大きく好ましい。携帯電話装置は電池で駆動されるため、電池容量が低下して所定値以下になったとき、もしくは所定時間が経過したら、間欠的、例えば１５秒点灯、１５秒休止といったリズムでバックライトの点灯を行うのがよい。
【００３７】
次に、報知音による報知は次のように行われる。音声管理手段２１は、時刻がくると、音情報部１２ｂに記憶されている報知音データを読み出す。図３に示すように実施の形態１の報知音データは「高音」「中音」「低音」の連続音または間欠音である。音声管理手段２１はこの報知音データのどれかを音声回路部１１に送り、デジタルデータからアナログ音声信号に変換してスピーカ７から出力する。このようにして重要度３５は設定に基づきクラスで分けて報知される。
【００３８】
続いて、折畳型携帯電話装置の開閉動作と、テロップとバックライト、報知音の動作には、どのような関係があるのか図３，４に基づいて説明する。図４は本発明の実施の形態１における折畳型携帯電話装置の第１表示部と第２表示部の表示状態図である。図３のスケジュールのうち５月１２日の時刻１０：００を例にとって説明する。図４（ａ）は折畳型携帯電話装置が折り畳み状態（ｉ）を示しており、第１表示部４と第２表示部５の時刻未到来のときを示している。折畳型携帯電話装置は待機状態にあり、第１表示部４は待機状態、第２表示部５はＯＦＦとなっている。なお、第２表示部はＯＦＦにせず、設定により待機状態として時計情報を表示させるようにすることも可能であり、また未応答の着信や未読のメールの件数等を表示させるようにすることも可能である。以下、第２表示部のＯＦＦとは、待機状態として時計情報を表示等するものであってもよいものとする。
【００３９】
時刻１０：００が到来し報知状態（ｉｉ）になると、赤のバックライトが点滅するとともに高音の連続音が鳴る。そして第２表示部５には、時刻１０：００の表示と、「出張出発」のテロップが右から左に流れる。このときはまだ折り畳み状態であるから第１表示部４はＯＦＦのままである。また、「出張出発」のテロップは、繰り返し右から左に流れるようにしてもよく、また第２表示部５の表示範囲内で右→左→右→左というように左右に反復して流れるようにしてもよい。
【００４０】
このバックライトとテロップ、報知音の報知から、スケジュールの詳細を見ようと思って折畳型携帯電話装置を広げた場合は直ちに図４（ｄ）の状態にすすむ。しかし、所定時間、例えば１分を越えた場合（ｉｉｉ）には、赤のバックライトの点滅と高音の連続音が１５秒続き、次の１５秒は休止する間欠モードに移行する。ただ第２表示部５で表示されるテロップは間欠表示とならず、（ｉｉ）と同様の状態で、時刻１０：００の表示と、出張出発のテロップが右から左に流れる。
【００４１】
スケジュールの詳細を見るため図４（ｄ）の折畳型携帯電話装置の第２筐体１ｂを開いた状態（ｉｖ）にすると、開閉検出手段９がこれを検知し、表示部管理手段１５が第２表示部５をＯＦＦとし、第１表示部４に表示を行う。すなわち、開閉検出手段９の検出信号（本発明の開信号）を受けると、動表示管理手段２３はスケジュール情報部１２ａから時刻３１とスケジュールの詳細３７を読み出し、画像処理部２４で処理した後に表示部管理手段１５が切り換えた第１表示部４からこれを出力させる。
【００４２】
図４（ｅ）の折畳型携帯電話装置を再び折り畳んだ状態（ｖ）にすると、開閉検出手段９の検出信号（本発明の閉信号）に基づき、表示部管理手段１５が第１表示部４をＯＦＦとし、第２表示部５に切り換えて待機状態になる。
【００４３】
次に、実施の形態１の折畳型携帯電話装置でスケジュールの報知を行うときの手順についてフローチャートに基づいて説明する。ここで、図５は本発明の実施の形態１における折畳型携帯電話装置でスケジュールの報知を行う時のフローチャートである。図５において、折畳型携帯電話装置のスケジュール管理手段２２がスケジュールの時刻が到来したか否かをチェックし（ｓｔｅｐ１）、時刻がきていない場合にはこのチェックを繰り返し、時刻が到来したときには折り畳み状態か否かがチェックされる（ｓｔｅｐ２）。ｓｔｅｐ２において折り畳み状態にあれば、スケジュール種別で公用設定がされているか私用設定されているかを確認する（ｓｔｅｐ３）。公用であればバックライト色を赤とし（ｓｔｅｐ４）、私用であればバックライト色を青にする（ｓｔｅｐ５）。
【００４４】
ｓｔｅｐ２において、折り畳み状態にないときは通話中か否かがチェックされ（ｓｔｅｐ６）、通話中であれば通話が終了するまでこのチェックを繰り返す。ｓｔｅｐ６において、通話が終了したときには筐体が閉じられたか否かがチェックされ（ｓｔｅｐ７）、閉じられた場合にはｓｔｅｐ３へすすみ、開いたままの場合はスケジュールの詳細３７を読み出し（ｓｔｅｐ８）、第１表示部４に詳細３７を表示する（ｓｔｅｐ９）。その後終了入力（どのようなキーを押されるのでもよい）がなされたかがチェックされ（ｓｔｅｐ１０）、入力がないときは入力されるまで待機し、入力があるとｓｔｅｐ１に戻る。
【００４５】
ｓｔｅｐ４，ｓｔｅｐ５においてバックライト色が決定されると重要度３５の設定があるか否かがチェックされる（ｓｔｅｐ１１）。重要度３５の設定がある場合には重要度３５に合致した報知音が設定され（ｓｔｅｐ１２）、重要度３５の設定がない場合は報知音がないまま、第２表示部５から報知を行う（ｓｔｅｐ１３）。その後、報知開始から所定時間が経過したか否かが確認され（ｓｔｅｐ１４）、所定時間が経過しているときには電池容量との関係から間欠報知に変更し（ｓｔｅｐ１５）、所定時間が経過していないときには折畳型携帯電話装置が開かれたか否かがチェックされ（ｓｔｅｐ１６）、開かれていないときはｓｔｅｐ１４に戻り、開かれたときにはｓｔｅｐ８にすすんで詳細なスケジュールを読み出し、第１表示部４に詳細３７を表示する（ｓｔｅｐ９）。その後終了入力がなされたかがチェックされ（ｓｔｅｐ１０）、入力がないときは入力されるまで待機し、入力があるとｓｔｅｐ１に戻る。
【００４６】
このように実施の形態１の折畳型携帯電話装置は、時刻がきたときスケジュール情報の報知が第２表示部で行われ、携帯電話装置を折り畳んだままでもスケジュールが設定されていることを知り、報知によって内容を確認することができる。
【００４７】
（実施の形態２）
本発明の実施の形態２の折畳型携帯電話装置について説明する。実施の形態２の折畳型携帯電話装置は、実施の形態１の折畳型携帯電話装置の第１照明部１８と第２照明部１９が設けられていない点で相違する。従って図１，２を参照して説明する。
【００４８】
実施の形態２の折畳型携帯電話装置は、図２に示すようにバックライトを第１照明部１８と第２照明部１９で行うのではなく、バックライト管理手段２０の制御により、第１表示手段１３と第２表示手段１４自体がバックライト情報設定部１２ｄの設定に従って発光してバックライトとなる。そのほかの構成は実施の形態１と同一であり、詳細な説明は実施の形態１に譲ってここでは省略する。従って、スケジュールの動表示に加え、バックライト色が第２表示手段１４自身によって重畳的に加えられる。
【００４９】
これにより実施の形態２の折畳型携帯電話装置の場合、バックライトを照明するための照明の部品が不要であり、コンパクトで安価にすることができる。
【００５０】
（実施の形態３）
本発明の実施の形態３の折畳型携帯電話装置について説明する。実施の形態３の折畳型携帯電話装置は、折り畳んだ状態で操作可能なように側面にサイドスイッチが設けられたものである。図１も参照する。図６（ａ）は本発明の実施の形態３における折畳型携帯電話装置の折り畳んだ状態の側面の外観図、図６（ｂ）は（ａ）の折畳型携帯電話装置の報知状態でサイドスイッチを入れないときの第２表示部画面図、図６（ｃ）は（ａ）の折畳型携帯電話装置の報知状態でサイドスイッチを入れたときの第２表示部画面図である。
【００５１】
図６（ａ）において、２６はサイドスイッチである。短押しと長押しの２種類の入力が行える。サイドスイッチ２６を短押しすることにより、報知動作を中止させることができ、長押しすると、折畳型携帯電話装置を開いたときに第１表示部４で行う報知動作を第２表示部５で行うことができる。サイドスイッチ２６からの長押しが表示部管理手段１５に対するモード切り換えのトリガとなって、本来第１表示部４で行う表示が第２表示部５に切り換えられて表示される。
【００５２】
図６（ｂ）に示すようにサイドスイッチ２６をスイッチしないままでは、実施の形態１の報知動作と同一の動作をする。従って、図４（ａ）（ｂ）（ｃ）（ｄ）（ｅ）で示すような報知動作を行い、図６（ｂ）で示す第２表示部５の報知画面は図４（ｂ）（ｃ）に示す報知画面と同一である。
【００５３】
ここで、サイドスイッチ２６を長押しすると、図６（ｃ）に示す第２表示部５の報知画面となる。この内容は図４（ｄ）で示す第１表示部４の報知画面と同一となる。
【００５４】
このように実施の形態３の折畳型携帯電話装置は、折り畳んだままスケジュール機能を享受できる。
【００５５】
【発明の効果】
本発明の携帯電話装置によれば、第１筐体の表示部の背面側に第２表示部が設けられているので、時刻がきたときスケジュール情報の報知が筐体外部の第２表示部で行われ、携帯電話装置を折り畳んだままでもスケジュールの予定があることを知り、報知によって内容を確認することができる。表示部用の照明を報知のために用いたから強い印象を与えて迅速さと確実さを向上させることができ、利便性の高い折畳型携帯電話装置にすることができる。
【００５６】
動表示による報知を行うから、スケジュール情報が第２表示部で動画として表示されるので、強い印象を与え、迅速さと確実さを向上させることができる。スケジュール情報がテロップで表示されるから、スケジュールの要点をテロップ自体で確認でき、携帯電話装置を折り畳んだままでもスケジュールの予定があることを知り、強い印象を与えることができる。
【００５７】
スケジュール情報にはスケジュール種別及びまたはスケジュールランクが含まれたから、スケジュールの公私別等の種別や、重要度等のランクに従って複数に分けて報知することができる。スケジュール種別を表示部用照明色で報知するため、折畳型携帯電話装置を外方から眺めるだけで直ちに種別が分かる。スケジュールランクを報知音で鳴らすため、時刻がきたとき直ちに重要度等が分かり、緊急性に応じた処理が行える。
【００５８】
折畳型携帯電話装置の開閉を検出する開閉検出手段が設けられているので、第２筐体への動表示や表示部用照明色、報知音で詳細なスケジュールを確かめようと思った使用者が折畳型携帯電話装置を開くと、内部の表示部に詳細なスケジュールを表示させることができる。折畳型携帯電話装置を開くと、内部の表示部に自動的に詳細なスケジュールを表示させることができる。スケジュールの確認がすんで折り畳んだら、直ちに待機状態に戻る。
【００５９】
表示部用の照明を照明部で行うのでなく、第２表示部自体で発光させるので、表示部用の照明のための部品が不要であり、折畳型携帯電話装置をコンパクトで安価にすることができる。サイドスイッチを入切することにより折り畳んだままスケジュール機能を享受できる。
【図面の簡単な説明】
【図１】（ａ）本発明の実施の形態１における折畳型携帯電話装置を開いたときの外観図
（ｂ）（ａ）の折畳型携帯電話装置を折り畳んだ状態の外観図
【図２】本発明の実施の形態１における折畳型携帯電話装置の構成図
【図３】本発明の実施の形態１における折畳型携帯電話装置のスケジュール情報テーブル図
【図４】本発明の実施の形態１における折畳型携帯電話装置の第１表示部と第２表示部の表示状態図
【図５】本発明の実施の形態１における折畳型携帯電話装置でスケジュールの報知を行う時のフローチャート
【図６】（ａ）本発明の実施の形態３における折畳型携帯電話装置の折り畳んだ状態の側面の外観図
（ｂ）（ａ）の折畳型携帯電話装置の報知状態でサイドスイッチを入れないときの第２表示部画面図
（ｃ）（ａ）の折畳型携帯電話装置の報知状態でサイドスイッチを入れたときの第２表示部画面図
【図７】（ａ）従来のスケジュール機能を有した携帯電話装置の外観図
（ｂ）（ａ）の携帯電話装置の構成図
（ｃ）（ａ）の携帯電話装置の照明装置の詳細構成図
【図８】（ａ）従来のフリップ付携帯電話装置のフリップ部を開いた状態の外観図
（ｂ）従来のフリップ付携帯電話装置のフリップ部を閉じた状態の外観図
【符号の説明】
１ａ　第１筐体
１ｂ　第２筐体
２　ヒンジ部
３　キー操作部
４　第１表示部
５　第２表示部
６　アンテナ
７　スピーカ
８　マイク
９　開閉検出手段
９ａ　突起
９ｂ　穴
１０　無線送受信部
１１　音声回路部
１２　記憶部
１２ａ　スケジュール情報部
１２ｂ　音情報部
１２ｃ　動表示情報設定部
１２ｄ　バックライト情報設定部
１３　第１表示手段
１４　第２表示手段
１５　表示部管理手段
１６　入力手段
１７　計時手段
１８　第１照明部
１９　第２照明部
２０　バックライト管理手段
２１　音声管理手段
２２　スケジュール管理手段
２３　動表示管理手段
２４　画像処理部
２５　制御部
２６　サイドスイッチ
３０　月日
３１　時刻
３２　スケジュール内容
３３　スケジュール種別
３４　バックライト設定
３５　重要度
３６　報知音設定
３７　詳細
１０１　本体
１０２　キー操作部
１０３　表示部
１０４　ＬＥＤ表示部
１１１　表示照明装置
１１２　記憶部
１１３　カラー記億部
１１４　多色照明部
１１５　ＣＰＵ
２０１　装置本体
２０２　アンテナ
２０３　キー操作部
２０４　マイク
２０５　バッテリー部
２０６　ヒンジ
２０７　フリップ部
２０８　液晶モニター
２０９　ＣＣＤカメラ
２１０　スピーカ
２１１　イヤホン端子
２１２　イヤホン
２１３　イヤピース
２１４　セグメント表示部
【図１】
2004032596.tif 000003
【図２】
2004032596.tif 000004
【図３】
2004032596.tif 000005
【図４】
2004032596.tif 000006
【図５】
2004032596.tif 000007
【図６】
2004032596.tif 000008
【図７】
2004032596.tif 000009
【図８】
2004032596.tif 000010